(57)【要約】【課題】住民にとって快適な環境を提供する。【解決手段】施工方法は、施工対象の部屋の床、壁及び天井のうち少なくともいずれか一つに炭塗料を塗布する炭塗料塗布ステップと、部屋の床に、飫肥杉で形成される床材を配列する配列ステップと、部屋の壁に、珪藻土で形成される珪藻土を塗布する珪藻土塗布ステップと、床材が配列された床、珪藻土が塗布された壁及び炭塗料が塗布された天井のうち少なくともいずれか一つに、抗酸化水溶液を噴霧する噴霧ステップとを有する。【選択図】図１
2018145737.tif 000002
【特許請求の範囲】
【請求項１】
施工対象の部屋の床、壁及び天井のうち少なくともいずれか一つに炭塗料を塗布する炭塗料塗布ステップと、
前記部屋の床に、飫肥杉で形成される床材を配列する配列ステップと、
前記部屋の壁に、珪藻土を塗布する珪藻土塗布ステップと、
前記床材が配列された床、前記珪藻土が塗布された壁及び炭塗料が塗布された天井のうち少なくともいずれか一つに、抗酸化水溶液を噴霧する噴霧ステップと、を有する施工方法。
【請求項２】
前記炭塗料は、赤松木炭を含む請求項１に記載の施工方法。
【請求項３】
前記炭塗料は、異なる温度で焼かれた２種類の赤松木炭を含む請求項１又は２に記載の施工方法。
【請求項４】
前記炭塗料は、さらに、竹炭、高炭素セラミック又は抗菌剤の少なくともいずれかを含む請求項１乃至３のいずれか１に記載の施工方法。
【請求項５】
前記炭塗料が高炭素セラミックを含むとき、当該高炭素セラミックの炭素含有率は、９９％以上である請求項４に記載の施工方法。
【請求項６】
前記炭塗料が抗菌剤を含むとき、当該抗菌剤は、銀系無機抗菌剤である請求項４に記載の施工方法。
【請求項７】
前記床材の飫肥杉は、含水率が１５％以下にされたものである請求項１乃至６のいずれか１に記載の施工方法。
【請求項８】
前記珪藻土は、メソポア珪藻土を含む請求項１乃至７のいずれか１に記載の施工方法。
【請求項９】
前記珪藻土のメソポア珪藻土の含有率は、９０％以上である請求項８に記載の施工方法。
【請求項１０】
前記珪藻土は、さらに、火山灰白土、セルロースファイバー、でんぷんのりの少なくともいずれかを含む請求項８又は９に記載の施工方法。
【請求項１１】
前記抗酸化水溶液は、海洋ミネラル成分を含む請求項１乃至１０のいずれか１に記載の施工方法。
【請求項１２】
前記抗酸化水溶液は、マグネシウム、カルシウム、炭素又はケイ素の少なくともいずれかを含む請求項１乃至１１のいずれか１に記載の施工方法。
【請求項１３】
前記噴霧ステップでは、前記抗酸化水溶液を１５〜４０μｍの粒子で噴霧する請求項１乃至１２のいずれか１に記載の施工方法。
【請求項１４】
前記噴霧ステップでは、床及び壁とともに、天井にも前記抗酸化水溶液を噴霧する請求項１乃至１３のいずれか１に記載の施工方法。
【発明の詳細な説明】
【技術分野】
【０００１】
本発明は、居室、寝室等の空間を施工する施工方法に関するものである。
【背景技術】
【０００２】
建築材料で利用される化学物質、カビ等を原因として発生する体調不良であるシックハウス症候群が問題となっている。しかしながら、住宅等を購入したり、入居した場合、住民は、その住宅等から引っ越したり、売り払ったりすることは容易ではない。
【０００３】
従来、このようなシックハウス対策として、施工後に、揮発性有機化合物の拡散を防止する壁装材等の開発が進められている（例えば、特許文献１参照）。
【０００４】
しかしながら、特許文献１に記載の技術では、単に有機化合物を拡散しないというものであるが、居室、寝室等の空間の環境を改善することは期待できない。すなわち、化学物質以外にも、居室、寝室等の空間の環境を左右する条件は様々ある。例えば、湿度が最適であったり、不快な匂いがしないことで、住民等はそこで快適な生活を送ることができる。
【先行技術文献】
【特許文献】
【０００５】
【特許文献１】特開２００５−１３９５７１号公報
【発明の概要】
【発明が解決しようとする課題】
【０００６】
上述したように、従来の施工方法で施工した場合、住民にとって快適な環境を提供することは困難であった。
【０００７】
上記課題に鑑み、本発明は、住民にとって快適な環境を提供する施工方法に関する。
【課題を解決するための手段】
【０００８】
上記課題を解決するために、本発明の一態様に係る施工方法は、施工対象の部屋の床、壁及び天井のうち少なくともいずれか一つに炭塗料を塗布する炭塗料塗布ステップと、部屋の床に、飫肥杉で形成される床材を配列する配列ステップと、部屋の壁に、珪藻土を塗布する珪藻土塗布ステップと、床材が配列された床、珪藻土が塗布された壁及び炭塗料が塗布された天井のうち少なくともいずれか一つに抗酸化水溶液を噴霧する噴霧ステップとを有する。
【発明の効果】
【０００９】
本発明の一態様に係る施工方法は、住民に快適な環境を提供することができる。
【図面の簡単な説明】
【００１０】
【図１】本発明の一実施形態に係る施工方法を説明するフローチャートである。
【図２】実施形態に係る施工方法で施工された様子を示す断面図である。
【図３】実施形態に係る施工方法における床材を配列するステップを説明する説明図である。
【図４】実施形態に係る施工方法において床材を固定する様子を示す断面図である。
【発明を実施するための形態】
【００１１】
以下に、図面を用いて本発明の実施形態に係る施工方法について説明する。実施形態に係る施工方法で施工した場合、住民に快適な環境を提供することができる。
【００１２】
実施形態に係る施工方法では、施工対象の部屋の床、壁及び天井のうち少なくともいずれか一つに炭塗料を塗布する『炭塗料塗布ステップ』と、部屋の床に、飫肥杉で形成される床材を配列する『配列ステップ』と、部屋の壁に、珪藻土を塗布する『珪藻土塗布ステップ』と、床材が配列された床、珪藻土が塗布された壁及び珪藻土が塗布された天井のうち少なくともいずれか一つに抗酸化水溶液を噴霧する『噴霧ステップ』と、を有する。
【００１３】
図１のフローチャートに示すように、実施形態に係る施工方法で施工する場合、まず、準備及び養生をする（Ｓ１）。具体的には、準備として、後述する配列ステップ（Ｓ４）で使用する床材等の材料を開梱し、施工対象の環境で１週間程度馴染ませる。養生としては、炭塗料を塗布する必要のない窓、ドアノブ等の汚れ防止のために保護する。また、エアコン等が設置されている場合にはエアコン等は一時的に取り外す必要がある。
【００１４】
次に、対象の空間の下地作りをする（Ｓ２）。例えば、床、壁及び天井に対して下地作りをする。下地作りについては、後に詳述する。
【００１５】
続いて、対象の空間に炭塗料を塗布する（Ｓ３）。例えば、床、壁及び天井に炭塗料を塗布する。このとき、炭塗料の塗布は、例えば、床は１回塗り、壁は１回塗り、天井は２回塗りとする。床・壁は下地となるため１回塗りとするが、天井は仕上げとなるので、色ムラが出ないように２回塗りとする。ここで使用する炭塗料の材質については、後に詳述する。
【００１６】
炭塗料の塗布の後、床面に床材を配列する（Ｓ４）。ここで使用する床材の材質及び床材の配列については、後に詳述する。
【００１７】
床材の配列の後、養生をする（Ｓ５）。具体的には、ステップＳ４で配列した床材を養生する。この際、養生に使用するシートは、壁まで２００ｍｍ以上立ち上げることが好ましい。これにより、床材に跡がついたり、シートが捲れたりすることを防止する。また、床材に、直接、養生テープを貼らないように注意する必要がある。
【００１８】
次に、対象の空間に珪藻土を塗布する（Ｓ６）。ここで使用する珪藻土の材質については、後に詳述する。
【００１９】
珪藻土の塗布の後、ステップＳ１及びＳ５で行った養生を撤去する（Ｓ７）。また、養生撤去の後、対象の部屋をクリーニングする（Ｓ８）。ここで行うクリーニングが充分であると、次に行う抗酸化水溶液の噴霧の効果を充分に得ることができるが、不充分であると、抗酸化水溶液の噴霧の効果が低減する。
【００２０】
最後に、対象の空間に抗酸化水溶液を噴霧する（Ｓ９）。ここで使用する抗酸化水素溶液の材質及び噴霧の方法については、後に詳述する。このようにして、施工された室内では、空気浄化効果、化学物質除去効果、消臭・防臭効果、調湿効果、抗菌・防カビ効果、断熱効果、防炎効果、リラックス効果等を得ることができる。
【００２１】
施工の際の下地作りについて説明する。まず、（Ａ１）〜（Ａ２）の手順で床の下地、（Ａ３）〜（Ａ５）の手順で壁の下地、（Ａ６）〜（Ａ８）の手順で天井の下地作りをする。なお、リフォームの場合は、（Ａ１）〜（Ａ８）の手順の前に（Ａ９）を行う。
（Ａ１）各種工法により施工の対象となる床を適切な構造の床とする。使用材料は、クラックや反りの防止のため、乾燥材を使用し、平坦に仕上げる。
（Ａ２）「炭塗料」を塗布するための合板の捨て貼りをする。合板には、１２ｍｍ以上のＦフォースター認定の合板を使用する。
（Ａ３）各種工法により施工の対象となる壁を適切な構造の壁とする。使用材料は、クラックや反りの防止のための、乾燥剤を使用し、平坦に仕上げる。
（Ａ４）「炭塗料」を塗布するため石膏ボード貼りをする。
（Ａ５）継手、ビス止め部分はパテ処理により表面を平滑にする。
（Ａ６）各種工法により施工の対象となる天井を適切な構造の天井とする。使用材料は、クラックや反りの防止のための、乾燥剤を使用し、平坦に仕上げる。
（Ａ７）「炭塗料」を塗布するため石膏ボード貼りをする。
（Ａ８）継手、ビス止め部分はパテ処理により表面を平滑にする。
（Ａ９）リフォームの場合は、既存の床、既存の壁、既存の天井各々に対して不陸調整を行い、釘、ビスの増し打ち、接着剤注入などの処置を行う。なお、不陸調整とは、面を適当な材料でなだらかにする（ならしをする）ことをいう。
【００２２】
下地作りの後は、床、壁、天井の下地を清掃する。下地は、充分に乾燥させる必要がある。
【００２３】
《炭塗料の材質》
炭塗料は、赤松木炭を含む。赤松木炭は、多孔質であり、この微細な多数の孔に空気中の汚染物質（ホルムアルデヒド、アンモニア、トルエン等）を吸着させることができる。また、ＰＭ２．５と言われる粒子状物質等の微細な汚染物質の吸着にも有効である。したがって、赤松木炭を含む炭塗料を利用することで、室内の空気を浄化させることができる。
【００２４】
赤松木炭は、孔はハニカム構造であり、他の構造の孔と比較し、吸着力が強力である。さらに、赤松木炭は、メソ孔であるため、水分を吸着し、放出する。したがって、赤松木炭を含む炭塗料を利用することで、室内を調湿することができる。調湿をすることで、室内におけるカビの発生を防止する。また、調湿により、結露の発生を防止する。カビは喘息の原因ともなる。そのため、カビ発生を防止することは、喘息対策として重要である。
【００２５】
炭塗料は、異なる温度で焼かれた２種類の赤松木炭を含むことが好ましい。これは、炭化物は、木を焼く温度により、酸性又はアルカリ性のいずれかに傾く。したがって、酸性の炭とアルカリ性の炭の両方を使うことで、異なる消臭効果を得ることが可能となり、高い消臭効果を得ることができる。具体的には、炭塗料は、約９００℃で焼いた赤松木の炭（高温炭）と、約５００℃で焼いた赤松木の炭（低温炭）とを用いる。
【００２６】
赤松木炭の高温炭と低温炭とを８〜１０μｍ程度の大きさの微粒子とし、溶剤で加工する。このとき、使用する溶剤は、例えば、自然由来の天然素材であることが好ましい。また、高温炭と低温炭との温度範囲は、５００〜９００℃程度であることが好ましい。
【００２７】
木炭は、遠赤外線（１０〜１４μｍ）を放出するため、赤松木炭を利用することで、マイナスイオンが発生する。これにより、室内環境を快適にすることができる。
【００２８】
また、炭塗料は、竹炭、高炭素セラミック又は抗菌剤のいずれかを含んでもよい。
【００２９】
竹炭は、空気浄化効果、調湿効果、消臭効果等を有する。したがって、竹炭の粒子を赤松木炭の粒子と共に利用することで、部屋の空気浄化、調湿、消臭を実現することができる。
【００３０】
高炭素セラミックには、炭素含有率は、９９％以上である炭素セラミックを利用する。高炭素セラミックは、健康域（０〜９．５Ｈｚ）に含まれる健康周波数（２．５Ｈｚ程度）を発信する。これにより、リラックス効果を得ることができる。
【００３１】
抗菌剤には、例えば、銀系無機抗菌剤を利用することができる。これにより、炭塗料を塗布した場所における細菌の発生を防止することができる。例えば、黄色ブドウ球菌や大腸菌等の細菌の増加を防止することができる。
【００３２】
《床材の材質》
床材には、飫肥杉を使用する。飫肥杉は、高い消臭効果及び調湿効果を有する。したがって、室内の消臭及び調湿を実現する。また、杉は、細胞内に多数有する空隙の空気により断熱性が高い。したがって、飫肥杉の使用により、室内の断熱を可能とする。さらに、飫肥杉は、他の針葉樹と比較してやわらかい。したがって、床材に飫肥杉を使用することで、室内で過ごす住民を和ませたり、くつろぎを与えることが可能であり、足腰に優しく、子供が転んだとしても安全である。加えて、飫肥杉は、シロアリが好まない樹脂を多く含むため、シロアリ対策となる。また、飫肥杉は、軽い木材であるため、施工者にとっても扱いやすい。
【００３３】
床材の飫肥杉は、含水率が１５％以下に乾燥されたものを使用する。これにより、床材の施工後の変形等を防止することができる。
【００３４】
《床材の配列》
図２乃至図４を用いて、床材の配列について説明する。床材は、図２に示すように、各種工法による構造の床１０１の上に合板１０３を敷き、その上に炭塗料１０８を塗布し乾燥した後、複数の床材１０４が配列される。図３に示すように、各床材１０４は、長辺のうち一方の端部１０４ａが凸形状に形成され、この凸形状と対になる他方の端部１０４ｂが凹形状に形成される。したがって、複数の床材１０４の各端部１０４ａ，１０４ｂの凹凸を合わせるように配置する。これにより、複数の床材１０４がずれることなく配列される。この際、図４に示すように、凹形状の端部１０４ｂのサネ側を釘１１０により止めることで合板１０３上でのずれを防止することができる。釘１１０は、合板１０３に対して４５°の角度とすることが好ましい。これにより、ずれ防止の効果を高めることができる。また、各種工法による構造の壁１０２に対しては、石膏ボード１０５を帖着し、その上に、炭塗料１０８を塗布し、乾燥した後に、珪藻土１０７を塗布する。また、各種工法による構造の天井面にも、石膏ボード１０５を打擲し、その上に、炭塗料１０８を２回塗布する。
【００３５】
図示を用いた説明は省略するが、窓サッシや敷居がある場合、隙間を設けてコーキング処理をする。また、例えば、図２及び図３に示すように、床材１０４の端部のうち、壁１０２と近接する端部は、幅Ｗが５ｍｍ程度のクサビ１０７を利用して壁１０２と床材１０４の間隔を５ｍｍ程度設けることが好ましい。これにより、複数の床材１０４を緊着し、固定させることができる。このとき利用するクサビ１０７は、床材１０４の設置完了後、２４時間以上経過してから取り外す。これにより、床材１０４を安定させることができる。壁１０２には、石膏ボード１０５を帖着し、炭塗料１０８を塗布する。そして、炭塗料１０８の上に、巾木１０６を床材１０４に対して垂直に接するように貼り付ける。
【００３６】
《珪藻土の材質》
珪藻土は、メソポア珪藻土を含む。また、珪藻土のメソポア珪藻土の含有率は、９０％以上である。メソポア珪藻土は、直径２〜５０ｎｍのポアを有する珪藻土であり、高い環境に応じて放湿機能及び吸湿機能を有する。したがって、珪藻土にメソポア珪藻土を利用することで、調湿効果を得ることができる。また、メソポア珪藻土は、高い脱臭機能を有する。したがって、珪藻土にメソポア珪藻土を利用することで、脱臭効果を得ることができる。具体的には、北海道産の珪藻土の有するポアが２〜５０ｎｍであるため、北海道産の珪藻土を利用することが好ましい。
【００３７】
また、珪藻土は、火山灰白土、セルロースファイバー又はでんぷんのりを含むことができる。火山灰白土は、色の調整用に利用する。セルロースファイバーは、珪藻土を塗布後の割れを防止するために利用する。でんぷんのりは、施工性の向上のために利用する。
【００３８】
珪藻土は、天然素材のみを使用するため、湿気をすわないビニールクロスの壁紙等と比較して、調湿効果が高い特徴がある。したがって、夏はエアコンの使用量を抑えても快適に過ごすことが可能である。また、冬も加湿器の使用量を抑えても快適に過ごすことが可能である。これにより、優れた省エネ効果が得られる。
【００３９】
珪藻土は、天然素材のみを使用し、化学物質が含まれない。したがって、ホルムアルデヒド等の放出もなく、シックハウス症候群を防止することができる。
【００４０】
珪藻土は火に強い素材であり、珪藻土には、可燃性の化学物質も含まれない。したがって、珪藻土を塗布した壁は、燃えにくく、防炎効果が得られる。
【００４１】
ビニールクロス等では、静電気が発生し、ホコリや油分を寄せ付けて汚れやすい。これに対し、珪藻土は、自然のもののみを使用することで静電気が発生せず、ホコリや油分を寄せ付けないため汚れにくい。また、ビニールクロス等の壁紙は、日が当たって退色したり、のりの劣化により剥がれたりする。これに対し、珪藻土は日当りによる退色やのりの劣化による剥がれもなく、メンテナンスフリーで長期間、きれいな状態で使用することができる。
【００４２】
《抗酸化水溶液の材質》
抗酸化水溶液は、海洋ミネラル成分を含む。具体的には、抗酸化水溶液は、マグネシウム、カルシウム、炭素又はケイ素の少なくともいずれかを含む。この抗酸化水溶液は、消臭機能、空気清浄機能、化学物質除去機能、抗菌・防カビ機能、対ウィルス機能、リラックス機能等を有する。
【００４３】
《抗酸化水溶液の噴霧方法》
抗酸化水溶液は、１５〜４０μｍの粒子で噴霧する。この際、ステンレス部分、電源コンセント部分、照明用スイッチ部分等は、抗酸化水溶液の噴霧により故障、ショート、漏電等を防止するため、ビニール養生する。
【００４４】
抗酸化水溶液の噴霧は、２回繰り返す。このとき、抗酸化水溶液の噴霧により抗酸化水溶液で霧状になった室内の霧が納まるまで（例えば、３０分程度）、密室にして落ち着かせる必要がある。落ち着かせるとは、噴霧した抗酸化水溶液を床、壁及び天井等に定着させることである。その後、換気をした後、２回目の噴霧を行う。また、２回目の噴霧の後は、３日間程度放置して乾燥させる。これにより、遠赤外線効果を向上させることができる。
【００４５】
上述したように、実施形態に係る施工方法で施工した空間は、住民にとって快適な空間となる。したがって、住民は、このような施工を施した部屋で快適に過ごすことが可能となることで、高いリラックス効果を得ることができる。また、健康的に喘息やアトピー等のアレルギー症状の改善も期待できるため、住民は、健康な生活を送ることが可能となる。さらに、寝室にこのような施工を施すことで、住民は、安眠効果を得ることができる。加えて、天然素材の使用により、化学物質等で生じるシックハウス症候群を防止することができる。
【００４６】
例えば、床、壁及び天井に炭塗料を塗布することにより、空気浄化、調湿、消臭、抗菌等の効果を得ることができる。調湿により、快適に感じることができるばかりでなく、カビ発生防止の効果を得ることができる。
【００４７】
また、床に床材を配列することにより、断熱効果を得ることができる。また、床材の柔らかさにより、快適性を提供し、安全性を確保することができる。さらに、床材が含む樹脂により、シロアリ対策を実現する。
【００４８】
さらに、壁に珪藻土を塗布することにより、調湿、脱臭、防炎等の効果を得ることができる。また、珪藻土の塗布により、壁が汚れにくくなり、メンテナンスの必要なく長期間使用することができる。
【００４９】
加えて、床、壁及び天井に抗酸化水溶液を噴霧することにより、消臭効果、空気清浄効果、化学物質除去効果、抗菌・防カビ効果、対ウィルス効果、リラックス効果等を得ることができる。
【００５０】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【００５１】
上記実施の形態に示した構成並びに参考例に示した構成は適宜組み合わせることとしてもよい。
【符号の説明】
【００５２】
１０１  各種工法による構造の床
１０２  各種工法による構造の壁
１０３  合板
１０４  床材
１０４ａ，１０４ｂ  端部 
１０５  石膏ボード
１０６  巾木
１０７  珪藻土
１０８  炭塗料
１０９  クサビ 
１１０  釘
【図１】
2018145737.tif 000003
【図２】
2018145737.tif 000004
【図３】
2018145737.tif 000005
【図４】
2018145737.tif 000006
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
異なる温度で焼かれた赤松木の炭の混合である８〜１０μｍ程度の微粒子及び竹炭を含む炭塗料が塗布され、飫肥杉で形成される床材が配列され、かつ、海洋ミネラル成分を含む抗酸化水溶液が噴霧された床と、
前記炭塗料が塗布され、９０％以上である含有率でメソポア珪藻土を含む珪藻土を塗布され、かつ、抗酸化水溶液を噴霧が噴霧された壁と、
前記炭塗料が塗布された、前記抗酸化水溶液が噴霧された天井と、
を有する施工物。
【請求項２】
前記炭塗料は、さらに、高炭素セラミック又は抗菌剤を含む請求項１に記載の施工物。
【請求項３】
前記炭塗料が高炭素セラミックを含むとき、当該高炭素セラミックの炭素含有率は、９９％以上である請求項２に記載の施工物。
【請求項４】
前記炭塗料が抗菌剤を含むとき、当該抗菌剤は、銀系無機抗菌剤である請求項２に記載の施工物。
【請求項５】
前記床材の飫肥杉は、含水率が１５％以下にされたものである請求項１乃至４のいずれか１に記載の施工物。
【請求項６】
前記珪藻土は、さらに、火山灰白土、セルロースファイバー、でんぷんのりの少なくともいずれかを含む請求項１乃至５のいずれか１に記載の施工方法。
【請求項７】
前記抗酸化水溶液は、マグネシウム、カルシウム、炭素又はケイ素の少なくともいずれかを含む請求項１乃至６のいずれか１に記載の施工方法。